(57)【要約】【課題】壁面等の面に所定の向きに取り付けた第１の部材と同じ向きになるように、自然形成的に、第２の部材が、メモ用紙等の被挟持体を挟持固定する、マグネットホルダーを提供する。【解決手段】第１の磁石体２の表面側に置かれた被挟持体Ｐを第２の磁石体３で挟持固定するに際し、第１の磁石体２と第２の磁石体３の磁性を利用し、第１の磁石体２が壁面等の面Ｗに取り付けられている所定の向きと同じ向きに、第２の磁石体３が、自然形成的に向く状態で、被挟持体Ｐを挟持固定するようにした。【選択図】図２
2004330466.tif 000002
【特許請求の範囲】
【請求項１】
背面に接着部を有し、所定の形状の第１の磁石体と、
前記第１の磁石体と同一又は概ね同一形状の第２の磁石体とを備え、
前記第１の磁石体の背面に設けられた接着部を壁面等の面に所定の向きに取り付け、
前記第１の磁石体の表面側に置かれたメモ用紙等の被挟持体を前記第２の磁石体で挟持固定するに際し、前記第１の磁石体と前記第２の磁石体の磁性を利用し、前記第１の磁石体が壁面等の面に取り付けられている所定の向きと同じ向きに、前記第２の磁石体が、自然形成的に向く状態で、前記被挟持体を挟持固定するようにした、マグネットホルダー。
【請求項２】
前記第１の磁石体は、その表面にＮ領域面とＳ領域面とを有し、
前記第２の磁石体は、その裏面にＳ領域面とＮ領域面とを有し、
前記第１の磁石体の表面に設けられたＮ領域面の形状と、前記第２の磁石体の裏面に設けられたＳ領域面の形状とが、同一又は概ね同一形状又は相似形状になっており、且つ、
前記第１の磁石体の表面に設けられたＳ領域面の形状と、前記第２の磁石体の裏面に設けられたＮ領域面の形状とが、同一又は概ね同一形状又は相似形状になっている、請求項１に記載のマグネットホルダー。
【請求項３】
前記第２の磁石体の背面に設けられた接着部は、シリコーン系の接着部材で形成され、
前記シリコーン系の接着部材は、接着層を介して、前記第１の磁石体の背面に取り付けられており、且つ、
前記接着層は、前記シリコーン系の接着部材の壁面等の面に対する接着強度に比べ、前記接着層の前記シリコーン系の接着部材及び前記第１の磁石体に対する接着強度が、大きい、請求項１又は請求項２に記載のマグネットホルダー。
【請求項４】
前記第１の磁石体の表面に、前記第２の磁石体の表面に設けられているキャラクター等の装飾部と同一概ね同一形状の装飾部を設けている、請求項１〜３のいずれかに記載のマグネットホルダー。
【発明の詳細な説明】
【０００１】
【発明の属する技術分野】
本発明は、メモ用紙等の被挟持体を挟持固定するマグネットホルダーに関し、特に、壁面等の面に所定の向きに取り付けた第１の部材と同じ向きになるように、自然形成的に、第２の部材が、メモ用紙等の被挟持体を挟持固定する、マグネットホルダーに関する。
【０００２】
【従来の技術】
冷蔵庫の扉の表面に、メモ用紙等の被挟持体を挟持固定するマグネットホルダーが、既に、製品化されている。
【０００３】
そのようなマグネットホルダーとしては、例えば、特開平１１−０９１２７８号に記載のペーパーホルダーが存在する。
【０００４】
【特許文献１】特開平１１−０９１２７８号
【０００５】
また、図５は、従来のマグネットホルダーの他の一例を模式的に示す断面図である。
【０００６】
このマグネットホルダー１０１は、壁面等の非磁性体にメモ用紙等の被挟持体を挟持固定するものであり、鉄等の強磁性体１０２と、磁石体１０３とを備える。
【０００７】
鉄等の強磁性体１０２は、強磁性体本体１０２ａを有し、磁性体本体１０２ａは、その背面に、接着剤層１０２ｂを備える。
【０００８】
また、磁石体１０３は、磁石体本体１０３ａを有し、磁石体本体１０３ａは、その表面に、キャラクター等の模様・形状部１０３ｂを備える。尚、１０３ｃは、磁石体１０３の表面にキャラクター等の模様・形状部１０３ｂを貼り付けるバインダー層（接着剤層）を示している。
【０００９】
このマグネットホルダー１０１は、強磁性体本体１０２ａの背面に設けられている接着剤層１０２ｂを壁面等の面Ｗに貼り付けることで、鉄等の強磁性体１０２を壁面等の面Ｗに固定し、壁面等の面Ｗに固定した鉄等の強磁性体１０２の上に置かれたメモ用紙等の被挟持体Ｐを磁石体１０３にて挟持固定するようにして使用されている。
【００１０】
このような従来のマグネットホルダー１０１は、その表面にキャラクター等の模様・形状を設けることで、キャラクター商品等の文房具として、人気を博している。
【００１１】
【発明が解決しようとする課題】
しかしながら、マグネットホルダー１０１の場合、メモ用紙等の被挟持体Ｐが無い状態では、図６に示すように、壁面等の面Ｗの表面に固定された鉄等の強磁性体１０２が剥き出しになり、見栄えが悪いという問題がある。
【００１２】
また、マグネットホルダー１０１の場合、このマグネットホルダー１０１を用いて、メモ用紙等の被挟持体Ｐを挟持固定する場合、キャラクター等の模様・形状が設けられた磁石体１０３の向きは、メモ用紙等の被挟持体Ｐを挟持固定する者に委ねられることになり、メモ用紙等の被挟持体Ｐを挟持固定する者が、磁石体に設けられているキャラクターの向きを気にかけない者のような場合には、磁石体に設けられているキャラクターの向きを上下逆方向や斜め等にして、メモ用紙等の被挟持体を挟持固定する場合があり（図７を参照。）、キャラクターの向きを気にする者にとっては、それが気になる、といった問題や、面白みが欠けている、といったような問題がある。
【００１３】
本発明は、以上のような問題を解決するためになされたものであって、壁面等の非磁性体にメモ用紙等の被挟持体を挟持固定でき、メモ用紙等の被挟持体が無い状態でも見栄えが良く、メモ用紙等の被挟持体を挟持固定する場合、キャラクターの向きを上下逆方向等にならず、所望の方向に向くようにした、マグネットホルダーを提供することを目的としている。
【００１４】
【課題を解決するための手段】
請求項１に記載のマグネットホルダーは、背面に接着部を有し、所定の形状の第１の磁石体と、第１の磁石体と同一又は概ね同一形状又は相似形状の第２の磁石体とを備え、第１の磁石体の背面に設けられた接着部を壁面等の面に所定の向きに取り付け、第１の磁石体の表面側に置かれたメモ用紙等の被挟持体を第２の磁石体で挟持固定するに際し、第１の磁石体と第２の磁石体の磁性を利用し、第１の磁石体が壁面等の面に取り付けられている所定の向きと同じ向きに、第２の磁石体が、自然形成的に向く状態で、被挟持体を挟持固定するようにした。
【００１５】
このマグネットホルダーでは、被挟持体を挟持固定する場合、第１の磁性体と第２の磁性体の磁性を利用し、第１の磁性体と第２の磁性体とにより、被挟持体を挟持固定するようにしているので、第１の磁石体が壁面に取り付けられている所定の向きと同じ向きに、第２の磁石体を、自然形成的に向く状態で、被挟持体を挟持固定することができる。
【００１６】
請求項２に記載のマグネットホルダーは、請求項１に記載のマグネットホルダーの、第１の磁石体は、その表面にＮ領域面とＳ領域面とを有し、第２の磁石体は、その裏面にＳ領域面とＮ領域面とを有し、第１の磁石体の表面に設けられたＮ領域面の形状と、第２の磁石体の裏面に設けられたＳ領域面の形状とが、同一又は概ね同一形状になっており、且つ、第１の磁石体の表面に設けられたＳ領域面の形状と、第２の磁石体の裏面に設けられたＮ領域面の形状とが、同一又は概ね同一形状になっている。
【００１７】
このマグネットホルダーは、第１の磁性体の磁性の形成状態と第２の磁性体の磁性の形成状態とを具体的に特定するものであり、請求項１に記載のマグネットホルダーと同様の効果を奏する。
【００１８】
請求項３に記載のマグネットホルダーは、請求項１又は請求項２に記載のマグネットホルダーの、第１の磁石体の背面に設けられた接着部は、シリコーン系の接着部材で形成され、シリコーン系の接着部材は、接着層を介して、第１の磁石体の背面に取り付けられており、且つ、シリコーン系の接着部材の壁面等の面に対する接着強度に比べ、接着層のシリコーン系の接着部材及び第１の磁石体に対する接着強度が、大きい。
【００１９】
このマグネットホルダーは、シリコーン系の接着部材により壁面等の面に第１の磁石体を取り付けるようにしているので、面が非磁性体の面であっても、第１の磁石体を壁面等の面に取り付けることができるのみならず、貼り付け・取り外しを何度でも行なえる。且つ、このマグネットホルダーでは、シリコーン系の接着部材を、接着層を介して、第１の磁石体の背面に取り付けており、且つ、シリコーン系の接着部材の壁面等の面に対する接着強度に比べ、接着層のシリコーン系の接着部材及び第１の磁石体に対する接着強度が、大きい関係を満たすようにしているので、第１の磁石体を壁面等の面に貼り付け・取り外しを繰り返し行なっても、シリコーン系の接着部材が第１の磁石体から脱落するという事態が生じ難い。
【００２０】
請求項４に記載のマグネットホルダーは、請求項１〜３のいずれかに記載のマグネットホルダーの、第１の磁石体の表面に、第２の磁石体の表面に設けられているキャラクター等の装飾部と同一概ね同一形状の装飾部を設けている。
【００２１】
このマグネットホルダーでは、第１の磁石体の表面に、第２の磁石体の表面に設けられているキャラクター等の装飾部と同一概ね同一形状の装飾部を設けているので、被挟持体を挟持固定していない状態における第１の磁石体のキャラクター等の装飾部の壁面等の面への取り付け向きを所望の向きにしておけば、第１の磁石体と第２の磁石体とを用い、被挟持体を挟持固定した後においても、第２の磁石体に設けられているキャラクター等の装飾部の向きを、壁面等の面への取り付けられている第１の磁石体のキャラクター等の装飾部の向きに一致又は概ね一致させることができる。
【００２２】
且つ、第１の磁石体と第２の磁石体とは、磁性により、所定の関係になるように引っ付きあうので、第１の磁石体に設けられているキャラクター等の装飾部の向きが、被挟持体により見えない状態になっていても、第２の磁石体に設けられているキャラクター等の装飾部の向きを、壁面等の面への取り付けられている第１の磁石体のキャラクター等の装飾部の向きに一致又は概ね一致させることができる。
【００２３】
【発明の実施の形態】
以下、本発明に係るマグネットホルダーの好ましい一例を、図面を参照しながら、更に詳しく説明する。
【００２４】
図１は、本発明に係るマグネットホルダーの構成を模式的に示す断面図である。
【００２５】
このマグネットホルダー１は、第１の磁石体２と、第２の磁石体３とを備える。
【００２６】
第１の磁石体２は、磁石体本体２ａを有し、磁石体本体２ａは、その背面に、接着剤層２ｄを備える。
【００２７】
また、第２の磁石体３は、磁石体本体３ａを有し、磁石体本体３ａは、その表面に、キャラクター等の模様・形状部３ｂを備える。尚、３ｃは、磁石体３の表面にキャラクター等の模様・形状部３ｂを貼り付けるバインダー層（接着剤層）を示している。
【００２８】
尚、第１の磁石体本体２ａ及び第２の磁石体本体３ａの各々としては、磁性を有するものであれば、特に材料は限定されることはないが、この例では、第１の磁石体本体２ａ及び第２の磁石体本体３ａの各々にキャラクター等の輪郭形状を容易に作成するために、第１の磁石体本体２ａ及び第２の磁石体本体３ａの各々として、樹脂材中に鉄粉等の強磁性体粉末を分散し、鉄粉等の強磁性体粉末を分散した樹脂材を磁性化したものを用いている。
【００２９】
また、このマグネットホルダー１では、第１の磁石体２の磁石体本体２ａの背面に設けられている接着剤層２ｄは、シリコーン系の接着部材２ｄ１と、接着層２ｄ２とを備える。
【００３０】
シリコーン系の接着部材２ｄ１としては、接着力が強く、且つ、接着後、接着面から剥がし易く、何度でも、貼り付けと剥がしができるものであれば、種々のものを用いることができる。この例では、製品名：８５９Ｊ、商品名：ＳＣＯＴＣＨ＼スコッチ、製造元：スリーエム  カンパニー（アメリカ）、販売元：住友スリーエム株式会社製のものを用いている。
【００３１】
接着層２ｄ２の材料は、シリコーン系の接着部材２ｄ１の壁面等の面Ｗに対する接着強度に比べ、接着層２ｄ２のシリコーン系の接着部材２ｄ１及び第１の磁石体（より特定的に説明すると、磁石体本体２ａ）に対する接着強度が、大きい関係を満たす限り、特に限定されることはなく、種々のものを用いることができる。これは、このマグネットホルダー１では、何度でも、壁面等の面に接着と引き剥がしとを繰り返し行なえるようにしている関係で、シリコーン系の接着部材２ｄ１が、第１の磁石体（より特定的に説明すると、磁石体本体２ａ）から脱落するのを防止するためである。
【００３２】
また、この例では、第１の磁石体２と第２の磁石体３とが、第１の磁石体２と第２の磁石体３の磁性を利用し、第１の磁石体２が壁面等の面Ｗに取り付けられている所定の向きと同じ向きに、第２の磁石体３が、自然形成的に向く状態で、第１の磁石体２と第２の磁石体３とがひっつくようにしている。
【００３３】
図２は、第１の磁石体２及び第２の磁石体３の各々の磁性の形成状態を模式的に説明する説明図であり、図２（ａ）は、第１の磁石体２の磁性の形成状態を、第１の磁石体２の表面側から見た状態を表しており、また、図２（ｂ）は、第２の磁石体３の磁性の形成状態を、第２の磁性体３の裏面側から見た状態を表している。
【００３４】
第１の磁石体２は、その表面にＮ領域面Ｒ１とＳ領域面Ｒ２とを有する。
【００３５】
また、第２の磁石体３は、その裏面にＳ領域面Ｒ３とＮ領域面Ｒ４とを有する。
【００３６】
そして、第１の磁石体２の表面に設けられたＮ領域面Ｒ１の形状と、第２の磁石体３の裏面に設けられたＳ領域面Ｒ３の形状とが、同一又は概ね同一形状になっており、且つ、第１の磁石体２の表面に設けられたＳ領域面Ｒ２の形状と、第２の磁石体３の裏面に設けられたＮ領域面Ｒ４の形状とが、同一又は概ね同一形状になっている。
【００３７】
尚、ここでは、第１の磁石体２の表面に設けられた領域面Ｒ１がＮ型であり、領域面Ｒ２がＳ型であり、第２の磁石体３の裏面に設けられた領域面Ｒ３がＳ型であり、領域面Ｒ４がＮ型である場合について説明したが、第１の磁石体２の表面に設けられた領域面Ｒ１がＳ型であり、領域面Ｒ２がＮ型であり、第２の磁石体３の裏面に設けられた領域面Ｒ３がＮ型であり、領域面Ｒ４がＳ型である場合も本発明に含まれることは言うまでも無い。
【００３８】
このマグネットホルダー１は、第１の磁石体２（より特定的に説明すると、磁石体本体２ａ）の背面に設けられている接着剤層２ｄを壁面等の面Ｗに貼り付けることで、第１の磁石体２（より特定的に説明すると、磁石体本体２ａ）を壁面等の面Ｗに所望の向きに固定すれば、第１の磁石体２と第２の磁石体３の磁性により、第１の磁石体２が壁面等の面Ｗに取り付けられている所定の向きと同じ向きに、第２の磁石体３が、自然形成的に向く状態で、第１の磁石体２と第２の磁石体３とがひっつく。
【００３９】
従って、例えば、第１の磁石体２の表面に図３に示すようなキャラクターの装飾部を設け、第１の磁石体２を、図３に示す向きになるように、壁面等の面Ｗに貼り付ければ、図４に示すように、壁面等の面Ｗに貼り付けた第１の磁石体２の表面側に置かれたメモ用紙等の被挟持体Ｐを第２の磁石体３で挟持固定する際に、第１の磁石体２が壁面に取り付けられている所定の向きと同じ向きに、第２の磁石体３が、自然形成的に向く状態で、被挟持体Ｐを挟持固定することができる。
【００４０】
以上の説明からも明らかなように、このマグネットホルダー１では、メモ用紙等の被挟持体Ｐを挟持固定する場合、第１の磁性体２と第２の磁性体３の磁性を利用し、第１の磁性体２と第２の磁性体３とにより、被挟持体Ｐを挟持固定するようにしているので、第１の磁石体２が壁面等の面Ｗに取り付けられている所定の向きと同じ向きに、第２の磁石体３を、自然形成的に向く状態で、被挟持体Ｐを挟持固定することができる。
【００４１】
また、このマグネットホルダー１は、シリコーン系の接着部材２ｄ１により壁面等の面Ｗに第１の磁石体２を取り付けるようにしているので、面Ｗが非磁性体の面であっても、第１の磁石体２を壁面等の面Ｗに取り付けることができる。
【００４２】
のみならず、このマグネットホルダー１は、面Ｗへの貼り付け・取り外しを何度でも行なえる。且つ、このマグネットホルダー１では、シリコーン系の接着部材２ｄ１を、接着層２ｄ２を介して、第１の磁石体２の背面に取り付けており、且つ、シリコーン系の接着部材２ｄ１の壁面等の面Ｗに対する接着強度に比べ、接着層２ｄ２のシリコーン系の接着部材２ｄ１及び第１の磁石体２に対する接着強度が、大きい関係を満たすようにしているので、第１の磁石体２を壁面等の面Ｗに貼り付け・取り外しを繰り返し行なっても、シリコーン系の接着部材２ｄ１が第１の磁石体２から脱落するという事態が生じ難い。
【００４３】
また、このマグネットホルダー１では、第１の磁石体２の表面に、第２の磁石体３の表面に設けられているキャラクター等の装飾部と同一概ね同一形状の装飾部２ｂを設けているので、メモ用紙等の被挟持体Ｐを挟持固定していない状態における第１の磁石体２のキャラクター等の装飾部２ｂの壁面等の面Ｗへの取り付け向きを所望の向きにしておけば、第１の磁石体２と第２の磁石体３とを用い、メモ用紙等の被挟持体Ｐを挟持固定した後においても、第２の磁石体３の表面に設けられているキャラクター等の装飾部３ｂの向きを、壁面等の面Ｗへの取り付けられている第１の磁石体２のキャラクター等の装飾部２ｂの向きに一致又は概ね一致させることができる。
【００４４】
且つ、第１の磁石体２と第２の磁石体３とは、磁性により、所定の関係になるように引っ付きあうので、第１の磁石体２に設けられているキャラクター等の装飾部２ｂの向きが、メモ用紙等の被挟持体Ｐにより見えない状態になっていても、第２の磁石体３に設けられているキャラクター等の装飾部３ｂの向きを、壁面等の面Ｗへの取り付けられている第１の磁石体２のキャラクター等の装飾部２ｂの向きに一致又は概ね一致させることができる。
【００４５】
【発明の効果】
以上、詳細に説明したように、請求項１に記載のマグネットホルダーでは、被挟持体を挟持固定する場合、第１の磁性体と第２の磁性体の磁性を利用し、第１の磁性体と第２の磁性体とにより、被挟持体を挟持固定するようにしているので、第１の磁石体が壁面に取り付けられている所定の向きと同じ向きに、第２の磁石体を、自然形成的に向く状態で、被挟持体を挟持固定することができる。
【００４６】
請求項２に記載のマグネットホルダーは、第１の磁性体の磁性の形成状態と第２の磁性体の磁性の形成状態とを具体的に特定するものであり、請求項１に記載のマグネットホルダーと同様の効果を奏する。
【００４７】
請求項３に記載のマグネットホルダーは、シリコーン系の接着部材により壁面等の面に第１の磁石体を取り付けるようにしているので、面が非磁性体の面であっても、第１の磁石体を壁面等の面に取り付けることができるのみならず、貼り付け・取り外しを何度でも行なえる。且つ、このマグネットホルダーでは、シリコーン系の接着部材を、接着層を介して、第１の磁石体の背面に取り付けており、且つ、シリコーン系の接着部材の壁面等の面に対する接着強度に比べ、接着層のシリコーン系の接着部材及び第１の磁石体に対する接着強度が、大きい関係を満たすようにしているので、第１の磁石体を壁面等の面に貼り付け・取り外しを繰り返し行なっても、シリコーン系の接着部材が第１の磁石体から脱落するという事態が生じ難い。
【００４８】
請求項４に記載のマグネットホルダーでは、第１の磁石体の表面に、第２の磁石体の表面に設けられているキャラクター等の装飾部と同一概ね同一形状の装飾部を設けているので、被挟持体を挟持固定していない状態における第１の磁石体のキャラクター等の装飾部の壁面等の面への取り付け向きを所望の向きにしておけば、第１の磁石体と第２の磁石体とを用い、被挟持体を挟持固定した後においても、第２の磁石体に設けられているキャラクター等の装飾部の向きを、壁面等の面への取り付けられている第１の磁石体のキャラクター等の装飾部の向きに一致又は概ね一致させることができる。
【００４９】
且つ、第１の磁石体と第２の磁石体とは、磁性により、所定の関係になるように引っ付きあうので、第１の磁石体に設けられているキャラクター等の装飾部の向きが、被挟持体により見えない状態になっていても、第２の磁石体に設けられているキャラクター等の装飾部の向きを、壁面等の面への取り付けられている第１の磁石体のキャラクター等の装飾部の向きに一致又は概ね一致させることができる。
【図面の簡単な説明】
【図１】本発明に係るマグネットホルダーの構成を模式的に示す断面図である。
【図２】第１の磁石体及び第２の磁石体の各々の磁性の形成状態を模式的に説明する説明図であり、図２（ａ）は、第１の磁石体の磁性の形成状態を、第１の磁石体の表面側から見た状態を表しており、また、図２（ｂ）は、第２の磁石体の磁性の形成状態を、第２の磁性体の裏面側から見た状態を表している。
【図３】本発明に係るマグネットホルダーの第１の磁石体の壁面等の面への取付け例の一例を模式的に示す正面図である。
【図４】本発明に係るマグネットホルダーの第２の磁石体の動作を模式的に説明する正面図である。
【図５】従来のマグネットホルダーの他の一例を模式的に示す断面図である。
【図６】図５に示すマグネットホルダーの問題点を模式的に説明する正面図である。
【図７】図５に示すマグネットホルダーの他の問題点を模式的に説明する正面図である。
【符号の説明】
１  マグネットホルダー
２  第１の磁石体
２ａ、３ａ  磁石体本体
２ｂ、３ｂ  キャラクター等の模様・形状部
２ｃ、３ｃ  バインダー層（接着剤層）
２ｄ  接着剤層
２ｄ１  シリコーン系の接着部材
２ｄ２  接着層
３  第２の磁石体
３ｂ  キャラクター等の模様・形状部
Ｐ  被挟持体Ｗ
Ｗ  壁面等の面
【図１】
2004330466.tif 000003
【図２】
2004330466.tif 000004
【図３】
2004330466.tif 000005
【図４】
2004330466.tif 000006
【図５】
2004330466.tif 000007
【図６】
2004330466.tif 000008
【図７】
2004330466.tif 000009